(57)【要約】【課題】  この発明は、前記貫通孔が装飾体の重心軸から偏心した装飾体であっても、連結部材の緊縮による装飾体の回転を防止し、装飾体の歩留まりを向上させることを目的とする。【解決手段】  複数のメインパール２と、該メインパール２のそれぞれに形成した1つの貫通孔３に挿通して各メインパール２を連結する紐状の芯材４とを備え、該芯材４を緊縮させて各メインパール２間を近寄せたネックレス１であって、前記各メインパール２の間に該メインパール２より小さなサブパール６を介在させて形成した。【選択図】    図１
2006149643.tif 000002
【特許請求の範囲】
【請求項１】
複数の装飾体と、該装飾体のそれぞれに形成した1つの貫通孔に挿通して各装飾体を連結する紐状の連結部材とを備え、
該連結部材を緊縮させて各装飾体間を近寄せた装飾具であって、
前記各装飾体の間に該装飾体より小さな介在体を介在させて形成した
装飾具。
【請求項２】
それぞれの前記装飾体を略球形に形成し、
前記介在体に貫通孔を備え、
前記連結部材を、前記装飾体の間で前記介在体の貫通孔に挿通させた
請求項１の装飾具。
【請求項３】
前記介在体を、
連結した前記装飾体を一直線状態にした際に、隣り合う前記装飾体同士が直接接触しない形状に形成した
請求項１又は２に記載の装飾具。
【請求項４】
前記介在体の貫通孔付近の左右方向幅を、一直線状態にした装飾具全体の重心軸付近の前記介在体の左右方向幅より大きく形成した
請求項２又は３に記載の装飾具。
【請求項５】
前記装飾体の外表面と前記介在体の外表面とを、それぞれ同一材で形成した
請求項１から４のいずれか１つに記載の装飾具。
【請求項６】
前記装飾体と前記介在体とを真珠で形成した
請求項１から５のいずれか１つに記載の装飾具。
【発明の詳細な説明】
【技術分野】
【０００１】
この発明は、例えば真珠ネックレスのような装飾具に関する。
【背景技術】
【０００２】
従来、貫通孔を施した真珠や宝石の装飾体を複数連ね、前記貫通孔にワイヤー等の連結部材を挿通し、前記連結部材を緊縮させて連結したネックレスやブレスレット等の装飾具が提供されている。
【０００３】
このような装飾具は前記貫通孔１０３が前記重心軸ＣＬ’から偏心距離Ｅだけ偏心して施された場合に、図４（ａ）に示すように、経験則的に一連の装飾体が交互に同方向に偏って固定される。  
これは、隣り合う装飾体１０２（１０２ａ〜１０２ｅ）が接するように直線状に並べると、連結部材１０４上に間隙Ｄが生じる。連結部材１０４を緊縮すると、それぞれの装飾体１０２に間隙Ｄをなくす方向への力（押圧力Ｆ）が働き、間隔Ｄをなくす方向に装飾体１０２が移動する。このため、隣り合う装飾体１０２が互いを押圧し、図４（ｂ）に示すように、一部の装飾体１０２ｂ、１０２ｄが積極的に貫通孔１０３を中心に、装飾体の重心軸ＣＬ’に対して反対方向へ回転するため、上記状態となる。
【０００４】
このように回転すると図３のＡ部に示すように、装飾具に一連の装飾体が波打つような不揃いに並ぶ部分ができ、装飾具としての価値が下がる。このため、貫通孔１０３が重心軸ＣＬ’から偏心した装飾体１０２を使用することができず、装飾体１０２の歩留まりを向上させることは困難であった。
【０００５】
また、図４（ｃ）に示すように、それぞれの装飾体１０２の貫通孔１０３の偏心距離Ｅが異なる場合は、隣合う装飾体１０２の対向する貫通孔１０３付近の面の角度が適する角度でそれぞれの装飾体１０２が接するため、連結部材１０４が折れ曲がることとなる。従って、それぞれの装飾体１０２はより大きく偏り、装飾具としての外観をさらに損ねることとなる。  
また、装飾体１０２がバロック真珠である場合、バロック真珠は不定形であるため、装飾体１０２の重心軸ＣＬ’に貫通孔１０３を施すことがさらに困難であり、上述した図４（Ｃ）に示す状態となることが多い。
【０００６】
一方、装飾体の回転を防止する方法として、半球体の装飾体を使用した場合、装飾体が貫通孔を中心に回転して方向が不揃いとなり、装飾具としての外観が悪くなることを防止する装飾具が提案されている（特許文献１参照）。
【０００７】
前記装飾具は、装飾体に複数の平行な貫通孔を設け、少なくとも1つの貫通孔を重心軸から偏心させ、複数の連結部材を平行に挿通して連結することで、装飾体が回転することを防止している。  
しかし、装飾体に複数の貫通孔を設けると、製造コストが高くなり、装飾体の強度が低下する問題があった。
【０００８】
【特許文献１】特開平１１−１３７３１４号公報
【発明の開示】
【発明が解決しようとする課題】
【０００９】
この発明は、前記貫通孔が装飾体の重心軸から偏心した装飾体であっても、連結部材の緊縮による装飾体の回転を防止し、装飾体の歩留まりを向上させることを目的とする。
【課題を解決するための手段】
【００１０】
この発明は、複数の装飾体と、該装飾体のそれぞれに形成した1つの貫通孔に挿通して各装飾体を連結する紐状の連結部材とを備え、該連結部材を緊縮させて各装飾体間を近寄せた装飾具であって、前記各装飾体の間に該装飾体より小さな介在体を介在させて形成したことを特徴とする。  
前記装飾体は、アコヤガイ、シロチョウガイまたはクロチョウガイ等を母貝とするの海産真珠、淡水真珠、プラチナや金等の貴金属、ルビーやダイヤ等の宝石等を含み、また、前記装飾体の形状は、略球状、オーバル、ボタン、エッグ、ドロップ、バロック、略半球、円板、略多面体等の形状を含む。  
前記連結部材は、木綿等の紐状繊維、ビニール製等の紐形状、鋼製のワイヤ等の弾性性状を有する紐状の部材を含む。  
前記介在体は、前記装飾体と同一部材、異部材、または例えば海産真珠といわゆるケシと呼ばれる不定形の真珠、海産真珠と淡水真珠、または海産真珠と淡水真珠のケシのような異部材ではあるが外表面が同じ部材で形成されていることを含む。  
これにより、前記貫通孔が装飾体の重心軸から偏心した装飾体であっても、連結部材の緊縮による装飾体の回転を防止することができる。従って、貫通孔が装飾体の重心軸から偏心した装飾体を使用することができるため、装飾体の歩留まりを向上させることができ、貫通孔を装飾体に設けるための高度な技術や精度の高い装置が不要となる。
【００１１】
この発明の態様として、それぞれの前記装飾体を、略球形に形成し、前記介在体に貫通孔を備え、前記連結部材を、前記装飾体の間で前記介在体の貫通孔に挿通させることができる。  
上記構成により、直線状態にした際に、貫通孔が偏心していて、隣り合う装飾体の最寄点間の距離より互いの貫通孔の最寄点間の距離が広い場合に、該貫通孔の間の間隙を介在体で低減することができる。  
これにより、隣り合う装飾体同士が押圧して上記間隙を移動し、一連の装飾体から一部の装飾体が押出されるように貫通孔を中心に回転することを防止できる。
【００１２】
また、この発明の態様として、前記介在体を、連結した前記装飾体を一直線状態にした際に、隣り合う前記装飾体同士が直接接触しない形状に形成することができる。  
これにより、連結部材を緊縮させた場合に、隣り合う装飾体同士が直接押圧することを防止でき、装飾体の回転を防止できる。
【００１３】
また、この発明の態様として、前記介在体の貫通孔付近の左右方向幅を、一直線状態にした装飾具全体の重心軸付近の前記介在体の左右方向幅より大きく形成することができる。  
前記左右方向幅は、前記装飾具の長手方向を指す。  
これにより、連結部材の緊縮によるくさび効果が得られるとともに、装飾体と介在体との接触面積が増大し、装飾体の回転をさらに防止することができる。
【００１４】
また、この発明の態様として、前記装飾体の外表面と前記介在体の外表面とを、それぞれ同一材で形成することができる。  
前記同一材の同一は、例えば海産真珠の真珠層といわゆるケシと呼ばれる不定形の真珠の真珠層、海産真珠の真珠層と淡水真珠の真珠層、または異なる母貝から回収された真珠の真珠層のような関係を含む。  
これにより、前記装飾体と前記介在体との接触によって、前記装飾体の外表面と前記介在体の外表面とのどちらか一方のみ片減りすることを防止できる。  
また、新たなデザインかつ高級感のあるの装飾具を形成することができる。
【００１５】
また、この発明の態様として、前記装飾体と前記介在体とを真珠で形成することができる。  
前記真珠は、海産真珠、淡水真珠等であることを含む。  
これにより、新たなデザインかつ高級感のあるの真珠の装飾具を形成することができる。
【発明の効果】
【００１６】
この発明によれば、連結部材の緊縮による装飾体の回転を防止することとともに、装飾体の使用の歩留まりを向上することができる。
【発明を実施するための最良の形態】
【００１７】
この発明の一実施形態を以下図面と共に説明する。  
図１は貫通孔３が重心軸ＣＬから偏心したメインパール２で形成した本発明のネックレス１の斜視図を示し、図２はA部の拡大説明図を示す。
【００１８】
ネックレス１は複数のメインパール２と、隣り合うメインパール２の間に少なくとも１つのサブパール６を配し、メインパール２の貫通孔３とサブパール６の貫通孔３とに一方から順に芯材４を挿通している。芯材４の一端に留め金５の雄部５ａと、他端に雌部５ｂを固定して形成し、雄部５ａを雌部５ｂに挿着することで無端状のネックレス１を形成している。
【００１９】
なお、芯材４の両端に雄部５ａ、５ｂを取り付ける際、芯材４を緊縮させて、全てのメインパール２とサブパール６を互いに近寄せることによって、メインパール２およびサブパール６が芯材４上を移動することを防止している。
【００２０】
また、メインパール２はネックレスとして装飾具として適宜の直径の略球形であり、直径０．８ｍｍ程度の貫通孔３を備えている。また、芯材４は貫通孔３に挿通できる直径０．３ｍｍ程度のワイヤであり、湾曲可能な適宜の紐状の弾性体である。
【００２１】
サブパール６はメインパール２より小さく、例えばケシと呼ばれるような不定形のメインパール２の１／２より小さなパールであり、メインパール２とサブパール６の外表面はともに真珠層７で形成されている。  
なお、サブパール６は直径０．６ｍｍ程度の貫通孔３を備えている。  
また、図２は、理解しやすいようにサブパール６を2倍程度大きく示している。
【００２２】
図２に示すように、隣り合うメインパール２の間にサブパール６を配することによって、貫通孔３の偏心Ｅによって生じた間隔Ｄ（図４（ａ））の大部分をサブパール６で埋めることができる。このため、芯材４の緊縮による押圧力Ｆがそれぞれのメインパール２に作用するものの、図４に示したようにメインパール２ａ、２ｃ、２ｅが移動してメインパール２ｂ、２ｄが押出されるように回転することを防止できる。
【００２３】
また、サブパール６で埋めることができない間隔Ｄによって、サブパール６が回転することによってメインパール２の回転を防止する場合であっても、メインパール２に対してサブパール６は小さいため、サブパール６の回転は目立たず、ネックレス１の外観を損ねることはない。
【００２４】
また、サブパール６が回転した場合であっても、サブパール６は不定形であるため、サブパール６の回転がさらに目立たないため、ネックレス１の外観を損ねることはない。
【００２５】
なお、サブパール６は、上述したように不定形であるものの、Ａ部のように直線状態となったネックレス１の隣り合うメインパール２がサブパール６が介在することによってメインパール２同士が接触しない適宜の大きさ、又は形状である。
【００２６】
また、サブパール６の左右方向幅は、図４（ａ）で示す貫通孔３の偏心Ｅによって生じた間隔Ｄより大きい方が、メインパール２同士がより確実に接触しないため好ましい。
【００２７】
換言すれば、メインパール２同士が接触した場合の接触部分からの押圧力Ｆの伝達によるメインパール２同士の回転を防止することができる。
【００２８】
なお、平均的な間隔Ｄはメインパール２の径、および偏心Ｅにより決定されが、ここで、メインパール２の半径をｒ、偏心Ｅの平均偏心量をｅ、とすると下記数式１のように推定することができる。
【００２９】
【数１】
2006149643.tif 000003
【００３０】
また、偏心距離Ｅが異なるメインパール２が存在する場合、偏心距離Ｅが近いメインパール２を隣に並べることが好ましい。  
これにより、偏心距離Ｅの差によるメインパール２の不揃いを抑制することができる。
【００３１】
また、サブパール６ｄのように、貫通孔３付近の左右方向幅Ｗ１が重心軸ＣＬ付近の左右方向幅Ｗ２より大きなサブパール６であれば、押圧力Ｆによってメインパール２が互いに押圧することでくさび効果が生じるとともに、メインパール２とサブパール６との接触面積が増大するため、メインパール２の回転をより確実に防止することができる。
【００３２】
経験則上、サブパール６の左右面が平行であることは皆無に等しく、くさび形状であることが多い。例えば、サブパール６ｃのように重心軸ＣＬ付近の左右方向幅Ｗ２が貫通孔３付近の左右方向幅Ｗ１より大きい場合であっても、サブパール６が貫通孔３を中心として回転し、くさび効果を発揮することが多い。
【００３３】
これにより、上述したように隣り合うメインパール２同士の間にサブパール６を配したことによって、貫通孔３が重心軸ＣＬより偏心Ｅしたメインパール２であっても、図１で示すようにメインパール２の並びが不揃いになることを防止できる。
【００３４】
また、貫通孔３が重心軸ＣＬより偏心したメインパール２を使用できるため、メインパール２の歩留まりを向上させることができるとともに、メインパール２に貫通孔３を施す際にも、高度な技術や精度の高い装置が不要となり、貫通孔３の施工効率を向上させることができる。
【００３５】
また、メインパール２と同一の真珠層を外表面に有するサブパール６を、メインパール２同士の間に配したことにより、ネックレス１を使用しているうちに、メインパール２又はサブパール６のどちらか一方が片減りすることを防止できるとともに、メインパール２とサブパール６とによって新たなネックレス１の高級感のあるデザインを提供することができる。
【００３６】
なお、本実施例において、隣り合うメインパール２同士の間に１つのサブパール６を配して、メインパール２とサブパール６とが交互に並ぶように形成したが、メインパール２の間に複数のサブパール６を配してもよい。
【００３７】
これにより、さらに新たなネックレス１の高級感のあるデザインを提供することができる。
【００３８】
また、本実施例においてサブパール６は不定形なものを使用したが、サブパール６ａのように貫通孔３が偏心した略円形のもので形成してもよい。
【００３９】
これにより、サブパール６ａによってくさび効果が生じ、メインパール２の回転をより確実に防止することができるとともに、さらに新たなネックレス１の高級感のあるデザインを提供することができる。
【００４０】
また、サブパール６の左右の接触面の角度を、それぞれに接触するメインパール２の貫通孔３付近の角度に合わせて加工してもよい。  
これにより、くさび効果をさらに向上することができる。
【００４１】
また、例えばメインパール２をアコヤ真珠で形成するとともにサブパール６もアコヤガイよるケシで形成するというように、メインパール２とサブパール６とを同種の母貝から回収した真珠とケシを用いてもよい。
【００４２】
これにより、メインパール２とサブパール６との質感、光沢ならびに耐久性を同じにすることができ、さらに新たな高級感のあるデザインのネックレス１の提供することができる。
【００４３】
この発明の構成と、上述の実施形態との対応において、
この発明の装飾体は、メインパール２に対応し、
以下同様に、
連結部材は、芯材４に対応し、
装飾具は、ネックレス１に対応し、
介在体は、サブパール６に対応し、
外表面は、真珠層７に対応し、
貫通孔付近の左右方向幅は、間隔Ｄに対応するも、
この発明は、上述の実施形態の構成のみに限定されるものではなく、多くの実施の形態を得ることができる。
【図面の簡単な説明】
【００４４】
【図１】本発明のネックレスの斜視図。
【図２】本発明のネックレスのA部の拡大説明図。
【図３】一般的なネックレスの斜視図。
【図４】一般的なネックレスのA部の拡大説明図。
【符号の説明】
【００４５】
１…ネックレス
２、１０２…メインパール
３、１０３…貫通孔
４、１０４…芯材
６…サブパール
７…真珠層
Ｄ…間隔
ＣＬ、ＣＬ’…重心軸
【図１】
2006149643.tif 000004
【図２】
2006149643.tif 000005
【図３】
2006149643.tif 000006
【図４】
2006149643.tif 000007